(57)【特許請求の範囲】
【請求項１】
着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、前身頃及び後身頃それぞれの胴回り部において横方向に伸縮性を有し、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記胴回り部を構成する前記外装体の両側縁部それぞれから前記レッグ開口部の開口縁部に沿って縦方向内方且つ横方向内方に延びて前記吸収体の縦方向に沿う側縁に達し、さらに該側縁よりも横方向の内方に延びており、該弾性部材の前記側縁部側とは反対側の端部は、前記吸収性本体の配置領域に位置しており、
前記外装体の両側縁部のうちの一方を起点とする前側レッグ弾性部材の前記端部と、他方を起点とする前側レッグ弾性部材の前記端部とが横方向において互いに離間して、前記外装体の横方向中央部に前側不連続部を形成するように、該前側レッグ弾性部材が配置されており、
前記後側レッグ弾性部材は、後身頃における前記胴回り部を構成する前記外装体の両側縁部それぞれから前記レッグ開口部の開口縁部に沿って縦方向内方且つ横方向内方に延びて前記吸収体の縦方向に沿う側縁に達し、さらに該側縁よりも横方向の内方に延びており、該弾性部材の前記側縁部側とは反対側の端部は、前記吸収性本体の配置領域に位置しており、
前記外装体の両側縁部のうちの一方を起点とする後側レッグ弾性部材の前記端部と、他方を起点とする後側レッグ弾性部材の前記端部とが横方向において互いに離間して、前記外装体の横方向中央部に後側不連続部を形成するように、該後側レッグ弾性部材が配置されており、
前記前側レッグ弾性部材と前記後側レッグ弾性部材とが縦方向において互いに離間配置されて、離間領域が形成されており、
前記吸収性本体は、平面視において少なくとも前記吸収体の縦方向に沿う両側縁部と前記前側レッグ弾性部材及び前記後側レッグ弾性部材とが重なる部分にて、前記外装体と接合されており、
前記吸収体は、相対的に曲げ剛性が高い高剛性領域と、該高剛性領域よりも曲げ剛性が低い低剛性領域とを有し、該高剛性領域は、横方向の中央部に位置し、且つ、前記離間領域の縦方向の全長に亘って連続しているパンツ型吸収性物品。
【請求項２】
前記離間領域の縦方向長さは、前記前側レッグ弾性部材が配されている領域の縦方向長さ及び前記後側レッグ弾性部材が配されている領域の縦方向長さよりも長く、且つ
前記前側レッグ弾性部材が配されている領域の縦方向長さよりも前記後側レッグ弾性部材が配されている領域の縦方向長さの方が長い請求項１に記載のパンツ型吸収性物品。
【請求項３】
前記前側レッグ弾性部材及び前記後側レッグ弾性部材は、それぞれ、平面視において前記高剛性領域の縦方向に沿う側縁と交差している請求項１又は２に記載のパンツ型吸収性物品。
【請求項４】
前記高剛性領域は、前記前側レッグ弾性部材及び前記後側レッグ弾性部材それぞれとの交差部間にのみ存している請求項３に記載のパンツ型吸収性物品。
【請求項５】
前記前側レッグ弾性部材及び前記後側レッグ弾性部材は、それぞれ、前記外装体における前記高剛性領域に対応する領域において、横方向に沿って配されている請求項１〜４の何れか一項に記載のパンツ型吸収性物品。
【請求項６】
前記外装体は、前身頃の前記胴回り部である腹側部、及び後身頃の前記胴回り部である背側部、前記腹側部と前記背側部とに挟まれた股下部に亘って配されており、前記股下部においては横方向に伸縮性を有しておらず、
前記外装体は、前記離間領域に、該外装体の他の部位よりも横方向長さが短い最幅狭部を有している請求項１〜５の何れか一項に記載のパンツ型吸収性物品。
【請求項７】
前記吸収体は、その縦方向中央部に、該吸収体の他の部位よりも横方向長さが短い最幅狭部を有し、該吸収体の最幅狭部と前記外装体の幅狭部とが縦方向において同位置にある請求項６に記載のパンツ型吸収性物品。
【請求項８】
前記高剛性領域は相対的に吸収体材料の坪量が高く、前記低剛性領域は該高剛性領域よりも吸収体材料の坪量が低い請求項１〜７の何れか一項に記載のパンツ型吸収性物品。
【請求項９】
着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、前身頃及び後身頃それぞれの胴回り部において横方向に伸縮性を有し、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記後側レッグ弾性部材は、後身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記前側レッグ弾性部材と前記後側レッグ弾性部材とが縦方向において互いに離間配置されて、離間領域が形成されており、
前記吸収性本体は、平面視において少なくとも前記吸収体の縦方向に沿う両側縁部と前記前側レッグ弾性部材及び前記後側レッグ弾性部材とが重なる部分にて、前記外装体と接合されており、
前記吸収体は、相対的に曲げ剛性が高い高剛性領域と、該高剛性領域よりも曲げ剛性が低い低剛性領域とを有し、該高剛性領域は、横方向の中央部に位置し、且つ、前記離間領域の縦方向の全長に亘って連続しており、
前記前側レッグ弾性部材及び前記後側レッグ弾性部材は、それぞれ、平面視において前記高剛性領域の縦方向に沿う側縁と交差しており、
前記高剛性領域は、前記前側レッグ弾性部材及び前記後側レッグ弾性部材それぞれとの交差部間にのみ存しているパンツ型吸収性物品。
【発明の詳細な説明】
【技術分野】
【０００１】
本発明は、パンツ型使い捨ておむつ等のパンツ型吸収性物品に関する。
【背景技術】
【０００２】
従来、パンツ型使い捨ておむつとしては、液保持性の吸収体を具備する吸収性本体と、該吸収性本体の非肌対向面側に配されている外装体とを備え、着用者の前後方向に相当する縦方向とこれに直交する横方向とを有し、且つ縦方向において着用時に着用者の腹側に位置する前身頃と背側に位置する後身頃とに二分され、該前身頃及び該後身頃それぞれにおける該外装体の縦方向に沿う両側縁部どうしが接合されて一対のサイドシール部、ウエスト開口部及び一対のレッグ開口部が形成されているものが汎用されている。例えば特許文献１〜４には、斯かる構成のパンツ型使い捨ておむつにおいて、一対のレッグ開口部それぞれの開口縁部にレッグギャザー形成用のレッグ弾性部材が、平面視において縦方向内方に向かって凸の凸状をなすように配されているものが記載されている。特許文献１〜４記載のパンツ型使い捨ておむつにおいては、前身頃に配されるレッグ弾性部材と後身頃に配されるレッグ弾性部材とが縦方向において互いに離間配置されている。また特許文献２及び４には、吸収性本体を構成する吸収体として、高剛性領域及び低剛性領域を縦方向に有するものを用いることが記載さている。
【先行技術文献】
【特許文献】
【０００３】
【特許文献１】特開２００４−６５５２４号公報
【特許文献２】特表２００８−５３４２３０号公報
【特許文献３】特開２０１３−１３５２４号公報
【特許文献４】特開２０１３−１５３８４６号公報
【発明の概要】
【発明が解決しようとする課題】
【０００４】
パンツ型吸収性物品を装着する際には、通常、一対のレッグ開口部に着用者の両足を挿入した状態で該吸収性物品を着用者の股間部側に引き上げる。特許文献１〜４に記載の如き従来のパンツ型吸収性物品は、このような装着操作において、主に吸収性本体の背側しか引き上がらず、吸収性本体全体が均等に引き上がらないため、着用感が悪いという問題があった。また従来のパンツ型吸収性物品は、装着操作中に吸収性本体（吸収体）が縦方向に収縮して変形するため、装着し難いという問題もあった。
【０００５】
従って本発明は、はき易く着用感に優れるパンツ型吸収性物品に関する。
【課題を解決するための手段】
【０００６】
本発明は、着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、前身頃及び後身頃それぞれの胴回り部において横方向に伸縮性を有し、  前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記後側レッグ弾性部材は、後身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記前側レッグ弾性部材と前記後側レッグ弾性部材とが縦方向において互いに離間配置されて、離間領域が形成されており、
前記吸収性本体は、平面視において少なくとも前記吸収体の縦方向に沿う両側縁部と前記前側レッグ弾性部材及び前記後側レッグ弾性部材とが重なる部分にて、前記外装体と接合されており、
前記吸収体は、相対的に曲げ剛性が高い高剛性領域と、該高剛性領域よりも曲げ剛性が低い低剛性領域とを有し、該高剛性領域は、横方向の中央部に位置し、且つ、前記離間領域の縦方向の全長に亘って連続しているパンツ型吸収性物品を提供するものである。
【発明の効果】
【０００７】
本発明によれば、はき易く着用感に優れるパンツ型吸収性物品が提供される。
【図面の簡単な説明】
【０００８】
【図１】図１は、本発明のパンツ型吸収性物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図１に示すおむつの展開且つ伸長状態における非肌対向面側（外面側）を模式的に示す展開平面図である。
【図４】図４は、図２及び図３のＩ−Ｉ線断面を模式的に示す縦断面図である。
【図５】図５は、図１に示すおむつを分解して模式的に示す分解斜視図である。
【図６】図６は、図１に示すおむつの外装体を構成する伸縮性の外層シートの一部（腹側外層シート）の一例を模式的に示す一部破断斜視図である。
【発明を実施するための形態】
【０００９】
以下本発明を、その好ましい実施形態に基づき図面を参照しながら説明する。図１〜図５には、本発明のパンツ型吸収性物品の一実施形態であるパンツ型使い捨ておむつ１が記載されている。おむつ１は、着用者の前後方向に相当する縦方向Ｘとこれに直交する横方向Ｙとを有し、吸収性本体２と、該吸収性本体２の非肌対向面側に配されて該吸収性本体２を固定している外装体３とを備え、前身頃Ｆ及び後身頃Ｒそれぞれにおける該外装体３の縦方向Ｘに沿う両側縁部ＦＳ，ＲＳどうしが接合されて、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１０】
図２及び図３に示すように、前身頃Ｆは、おむつ１を縦方向Ｘに二分する縦中心線Ｌｘを基準として、着用時に着用者の身体の前側（腹側）を覆う部分であり、後身頃Ｒは、着用者の身体の後側（背側）を覆う部分である。また本明細書において、肌対向面は、おむつ１及びその構成部材（例えば吸収性本体２）における、着用状態において着用者の肌側に向けられる面（着用者の肌に近い側）であり、非肌対向面は、おむつ１及びその構成部材における、着用状態において着用者の肌側とは反対側に向けられる面（相対的に肌対向面よりも肌から遠い側）である。
【００１１】
おむつ１は、着用状態において着用者の腹側に配される腹側部１Ａ、背側に配される背側部１Ｃ、及びそれらの間に位置して着用者股間部に配される股下部１Ｂを有している。おむつ１の縦方向Ｘは、前身頃Ｆと後身頃Ｒとの間を延びる方向、即ち、腹側部１Ａと背側部１Ｃとの間を股下部１Ｂを介して延びる方向であり、吸収性本体２の長手方向に一致する。腹側部１Ａは前身頃Ｆの一部であり、背側部１Ｃは後身頃Ｒの一部であり、股下部１Ｂは前身頃Ｆと後身頃Ｒとに跨って存している。腹側部１Ａ及び背側部１Ｃは、何れも縦方向Ｘにおいてサイドシール部Ｓと同位置にある部分であり、おむつ１の着用時に着用者の胴回りに配される胴回り部である。股下部１Ｂは、外装体３の縦方向Ｘに沿う両側縁部にレッグ開口部ＬＨ，ＬＨ形成用の凹欠部（レッグ縁部ＬＳ，ＬＳ）が形成されている領域である。股下部１Ｂは、おむつ１の着用時に着用者の排泄部に対向配置される排泄部対向部を有しており、該排泄部対向部は通常、おむつ１の縦方向Ｘの中央部（縦中心線Ｌｘ上）又はその近傍に位置している。
【００１２】
吸収性本体２は、図２及び図３に輪郭線で示したように平面視矩形形状を有しており、その長手方向を展開且つ伸長状態におけるおむつ１の縦方向Ｘに一致させて、外装体３の横方向Ｙの中央部に配置され、接着剤により外装体３に接合されている。外装体３は、図２及び図３に示す如きおむつ１の展開且つ伸長状態のおむつ１の外形を形作っており、外装体３の周縁は、その状態のおむつ１の輪郭線を形成している。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１３】
吸収性本体２は、図４に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３（２３０，２３１）を有しており、これらが接着剤等の公知の接合手段により一体化されて構成されている。吸収体２３は、おむつ１（外装体３）の横方向Ｙの中央部に位置している。表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、例えば、吸水性ポリマー粒子及びパルプ繊維等の繊維材料の少なくとも１種を含む吸収性コアを用いることができ、該吸収性コアは、その表面が紙、不織布等のコアラップシートで被覆されていても良い。
【００１４】
吸収性本体２の肌対向面における縦方向Ｙに沿う左右両側部には、図２及び図５に示すように、液抵抗性又は撥水性で且つ通気性のシート材から構成された側方カフス２４，２４が設けられている。各側方カフス２４の自由端部の近傍には糸状の側方カフス弾性部材（図示せず）が１本以上伸長状態で配されている。各側方カフス２４は、伸長状態で配された側方カフス弾性部材がおむつ１の着用状態において収縮することによって少なくとも股下部１Ｂで起立し、液の側方への流出を阻止する。
【００１５】
外装体３は、図２及び図３に示すように、前身頃Ｆの胴回り部である腹側部１Ａ、及び後身頃Ｒの胴回り部である背側部１Ｃ、腹側部１Ａと背側部１Ｃとに挟まれた股下部１Ｂに亘って配されており、その縦方向Ｘに沿う両側縁が股下部１Ｂにおいて内向きの円弧状に湾曲して一対のレッグ縁部ＬＳ，ＬＳを形成しており、図２及び図３に示す如き平面視において、縦方向Ｘの中央域が横方向Ｙの内方に向けて括れた砂時計状の形状を有している。股下部１Ｂには、外装体３において横方向Ｙの長さが最も短い部位である最幅狭部３Ｎが存している。外装体３は、前身頃Ｆ（腹側部１Ａ）における縦方向Ｘに沿う両側縁部ＦＳ，ＦＳと後身頃Ｒ（背側部１Ｃ）における縦方向Ｘに沿う両側縁部ＲＳ，ＲＳとが、接着剤、ヒートシール、超音波シール等の公知の接合手段によって互いに接合されており、その接合によって、図１に示すように、おむつ１に一対のサイドシール部Ｓ，Ｓが形成され、さらにウエスト開口部ＷＨ及び一対のレッグ開口部ＬＨ，ＬＨが形成されている。
【００１６】
外装体３は、図４及び図５に示すように、外層シート３１と内層シート３２との積層体を含んで構成されている。おむつ１の着用状態において、外層シート３１は着用者の身体から遠い側に位置して、おむつ１の非肌対向面（外面）を形成し、内層シート３２は、着用者の身体に近い側に位置して、おむつ１の肌対向面（内面）を形成する。外層シート３１と内層シート３２との間は、所定の部位において接着剤によって接合されている。
【００１７】
本実施形態においては、図４及び図５に示すように、内層シート３２は１枚の連続したシートから構成されているのに対し、外層シート３１は複数枚のシートが組み合わされて構成されており、腹側部１Ａを構成する腹側外層シート３１Ａと、背側部１Ｃを構成する背側外層シート３１Ｃと、両シート３１Ａ，３１Ｃ間に位置して股下部１Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００１８】
図２、図４及び図５に示すように、腹側外層シート３１Ａは、内層シート３２の腹側部１Ａ側の縦方向Ｘの端部から外方に延出する腹側延出部３１ＡＥを有し、また、背側外層シート３１Ｃは、内層シート３２の背側部１Ｃ側の縦方向Ｘの端部から外方に延出する背側延出部３１ＣＥを有しており、両延出部３１ＡＥ，３１ＣＥは、それぞれ、内層シート３２上に配置固定された吸収性本体２の縦方向Ｘの両端部を覆うように、内層シート３２側に折り返され、接着剤によって、両延出部３１ＡＥ，３１ＣＥと対向するおむつ１の他の構成部材（内層シート３２、吸収性本体２、立体ギャザー５）に固定されている。
【００１９】
本実施形態においては、外層シート３１を構成する腹側外層シート３１Ａ及び背側外層シート３１Ｃは横方向Ｙに伸縮性を有しているのに対し、外層シート３１の残りの部分（股下外層シート３１Ｂ）及び内層シート３２は伸縮性を有しておらず非伸縮性である。即ち、前身頃Ｆの胴回り部である腹側部１Ａ、及び後身頃Ｒの胴回り部である背側部１Ｃは、何れも横方向Ｙに伸縮性を有し、腹側部１Ａと背側部１Ｃとに挟まれた股下部１Ｂにおいては横方向Ｙに伸縮性を有していない。
【００２０】
腹側外層シート３１Ａ及び背側外層シート３１Ｃは、少なくとも横方向Ｙに伸縮性を有している。図６には、伸縮性の腹側外層シート３１Ａの一例が示されている。図６に示す腹側外層シート３１Ａは、非弾性繊維を主体とする伸長可能な繊維層の一面に糸状の弾性フィラメントが接合した構成を有するもので、該繊維層としての２枚の繊維シート４１，４２と、両シート４１，４２間に介在配置された該弾性フィラメントとしての弾性部材４３とを含んで構成されている。斯かる構成を有する伸縮性の背側外層シート３１Ａは、例えば、特開２００９−６１７４３号公報に記載の方法に従って製造することができる。伸縮性の背側外層シート３１Ｃも図６に示す伸縮性の腹側外層シート３１Ａと同様に構成することができる。
【００２１】
腹側外層シート３１Ａを構成する２枚のシート４１，４２は、何れも伸長可能なものである。シート４１，４２は、弾性部材４３の延びる方向（横方向Ｙ）と同方向に伸長可能になっている。伸長可能とは、（イ）シート４１，４２の構成繊維自体が伸長する場合と、（ロ）構成繊維自体は伸長しなくても、交点において結合していた繊維どうしが離れたり、繊維どうしの結合等により複数本の繊維で形成された立体構造が構造的に変化したり、構成繊維がちぎれたりして、シート４１，４２全体として伸長する場合とを包含する。
【００２２】
腹側外層シート３１Ａを構成する弾性部材４３は、弾性樹脂が溶融又は軟化した状態で延伸されて形成された弾性フィラメントである。複数の弾性部材４３は、それぞれ、シート３１Ａの全長（外装体３の横方向Ｙの全長）に亘って実質的に連続している。複数の弾性部材４３は、互いに交差せずに一方向（横方向Ｘ）に延びるように配列している。弾性部材４３は、実質的に非伸長状態で２枚のシート４１，４２に接合されている。シート３１Ａにおける弾性部材４３のシート４１，４２との接合は、シート４１，４２を構成する繊維（非弾性繊維）が弾性部材４３中に埋没した状態で該弾性部材４３に融着することによりなされたものであり、ホットメルト型接着剤等の接着剤を用いてなされたものではない。従って、シート４１，４２（非弾性繊維を主体とする伸長可能な繊維層）とこれに接合されている弾性部材４３との間には接着剤が存在しない。
【００２３】
腹側外層シート３１Ａは、弾性部材４３の延びる方向（横方向Ｙ）と同方向に伸縮可能になっている。シート３１Ａの伸縮性は、弾性部材４３の弾性に起因して発現する。シート３１Ａを弾性部材４３の延びる方向と同方向に引き伸ばすと、弾性部材４３及びシート４１，４２が伸長する。そしてシート３１Ａの引き伸ばしを解除すると、弾性部材４３が収縮し、その収縮に連れてシート４１，４２が引き伸ばし前の状態に復帰する。また、シート３１Ａにおいては、弾性部材４３と直交した状態で結合している他の弾性部材は存在していないので、シート３１Ａを、弾性部材４３の延びる方向（横方向Ｙ）と同方向に引き伸ばしたときには、該シート３１Ａが横方向Ｙに縮む、いわゆる幅縮みをほとんど起こさずに伸長する。
【００２４】
腹側外層シート３１Ａを構成する２枚のシート４１，４２は、それぞれ、短繊維の不織布であり得る。不織布としては、エアスルー不織布、ヒートロール不織布、スパンレース不織布、スパンボンド不織布、メルトブローン不織布等が挙げられる。シート４１とシート４２とは、同種のものでも良く、あるいは異種のものでも良い。ここで言う、「同種のシート」とは、シートの製造プロセス、シートの構成繊維の種類、構成繊維の繊維径や長さ、シートの厚みや坪量等がすべて同じであるシートどうしを意味する。これらのうちの少なくとも一つが異なる場合には、「異種のシート」である。
【００２５】
腹側外層シート３１Ａを構成する弾性部材４３（弾性フィラメント）は、例えば熱可塑性エラストマーやゴム等を原料とするものである。特に熱可塑性エラストマーを原料として用いると、通常の熱可塑性樹脂と同様に押出機を用いた溶融紡糸が可能であり、またそのようにして得られた弾性フィラメントは熱融着させやすいので、シート３１Ａに好適である。熱可塑性エラストマーとしては、例えば、ＳＢＳ（スチレン−ブタジエン−スチレン）、ＳＩＳ（スチレン−イソプレン−スチレン）、ＳＥＢＳ（スチレン−エチレン−ブタジエン−スチレン）、ＳＥＰＳ（スチレン−エチレン−プロピレン−スチレン）等のスチレン系エラストマー、オレフィン系エラストマー（エチレン系のα−オレフィンエラストマー、エチレン・ブテン・オクテン等を共重合したプロピレン系エラストマー）、ポリエステル系エラストマー、ポリウレタン系エラストマー等が挙げられ、これらの１種を単独で又は２種以上を組み合わせて用いることができる。また、これらの樹脂からなる芯鞘型又はサイド・バイ・サイド型の複合繊維を用いることもできる。
【００２６】
このように、腹側外層シート３１Ａ及び背側外層シート３１Ｃは伸縮性を有しているのに対し、股下外層シート３１Ｂ及び内層シート３２は伸縮性を有しておらず非伸縮性である。非伸縮性のシート３１Ｂ，３２は、縦方向Ｘ又は横方向Ｙにおいて伸縮性を有しないことが好ましく、両方向Ｘ，Ｙの何れにも伸縮性を有しないことが好ましい。外装体３において、一部（腹側部１Ａ及び背側部１Ｃ）のみが伸縮性を有する外層シート３１と全体が非伸縮性の内層シート３２とは、外層シート３１の伸縮性を有する部分（腹側外層シート３１Ａ及び背側外層シート３１Ｃ）の伸長状態下に、相対向する面で接合されており、そのため、外装体３全体としては、腹側外層シート３１Ａ及び背側外層シート３１Ｃが配されている腹側部Ａ及び背側部Ｃ（胴回り部）は、少なくとも両シート３１Ａ，３１Ｃの伸長可能方向（横方向Ｙ）に伸縮性を有し、他の部分（股下部Ｂ）は伸縮性を有してない。
【００２７】
シートが、ある方向に実質的に伸縮性を有しないとは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００２８】
非伸縮性の股下外層シート３１Ｂ及び内層シート３２としては、それぞれ、各種製法による不織布が好ましく用いられ、例えば、スパンボンド不織布、エアスルー不織布、ニードルパンチ不織布等である。非伸縮性のシート３１Ｂ，３２として用いる不織布の構成繊維としては、例えば、ポリエチレン（ＰＥ）、ポリプロピレン（ＰＰ）、ポリエチレンテレフタレート（ＰＥＴ）やポリブチレンテレフタレート（ＰＢＴ）等のポリエステル、ポリアミド等からなる繊維等が挙げられる。非伸縮性のシート３１Ｂ，３２として用いる不織布を構成する繊維は、短繊維でも長繊維でも良く、親水性でも撥水性でも良い。また、芯鞘型又はサイド・バイ・サイド型の複合繊維、分割繊維、異形断面繊維、捲縮繊維、熱収縮繊維等を用いることもできる。これらの繊維は、１種を単独で又は２種以上を組み合わせて用いることができる。
【００２９】
外装体３は、ウエスト開口部ＷＨの開口縁部にウエストギャザーを形成するウエスト弾性部材３３を備えている。即ち、腹側部Ａ及び背側部Ｃそれぞれにおけるウエスト開口部ＷＨの開口縁部には、１本又は複数本（本実施形態では複数本）のウエストギャザー形成用のウエスト弾性部材３３が横方向Ｙの全長に亘って伸長状態で配されており、これによってウエスト開口部ＷＨには、その全周に亘って実質的に連続した環状のウエストギャザーが形成されている。ウエスト弾性部材３３は、糸状又は帯状であり、図４に示すように、外装体３を構成する外層シート３１と内層シート３２との間に接着剤により挟持固定されている。
【００３０】
また外装体３は、一対のレッグ開口部ＬＨ，ＬＨそれぞれの開口縁部にレッグギャザーを形成するレッグ弾性部材として、前身頃Ｆに伸長状態で配された１本又は複数本（本実施形態では複数本）の前側レッグ弾性部材３４と、後身頃Ｒに伸長状態で配された１本又は複数本（本実施形態では複数本）の後側レッグ弾性部材３５とを備えている。レッグ弾性部材３４，３５は、何れも糸状又は帯状であり、図４に示すように、外装体３を構成する外層シート３１と内層シート３２との間に接着剤により挟持固定されている。
【００３１】
前側レッグ弾性部材３４は、図２及び図３に示すように、前身頃Ｆにおける腹側部１Ａ（胴回り部）を構成する外装体３の両側縁部ＦＳ，ＦＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２を構成する吸収体２３の縦方向Ｘに沿う側縁２３Ｓに達し、さらに該側縁２３Ｓよりも横方向Ｙの内方に延びており、該弾性部材３４の側縁部ＦＳ側とは反対側の端部は、吸収性本体２（吸収体２３）の配置領域に位置している。前身頃Ｆにおける外装体３の両側縁部ＦＳ，ＦＳのうちの一方を起点とする前側レッグ弾性部材３４と、他方を起点とする前側レッグ弾性部材３４とは繋がっておらず、これら一対の前側レッグ弾性部材３４，３４は、横方向Ｙにおいて互いに離間配置されて前側不連続部３４１を形成している。前側不連続部３４１は、外装体３（おむつ１）の横方向Ｙの中央部に位置している。前側不連続部３４１においては、弾性部材による弾性伸縮性は発現しない。一側縁部ＦＳを起点とする前側レッグ弾性部材３４と他側縁部ＦＳを起点とする前側レッグ弾性部材３４とは、おむつ１を横方向Ｙに二分する横中心線（図示せず）を基準として左右対称に配されている。
【００３２】
後側レッグ弾性部材３５は、図２及び図３に示すように、後身頃Ｒにおける背側部１Ｃ（胴回り部）を構成する外装体３の両側縁部ＲＳ，ＲＳ（サイドシール部Ｓ）それぞれからレッグ開口部ＬＨの開口縁部であるレッグ縁部ＬＳに沿って縦方向Ｘの内方且つ横方向Ｙの内方に延びて吸収性本体２を構成する吸収体２３の縦方向Ｘに沿う側縁２３Ｓに達し、さらに該側縁２３Ｓよりも横方向Ｙの内方に延びており、該弾性部材３５の側縁部ＲＳ側とは反対側の端部は、吸収性本体２（吸収体２３）の配置領域に位置している。後身頃Ｒにおける外装体３の両側縁部ＲＳ，ＲＳのうちの一方を起点とする後側レッグ弾性部材３５と、他方を起点とする後側レッグ弾性部材３５とは繋がっておらず、これら一対の後側レッグ弾性部材３５，３５は、横方向Ｙにおいて互いに離間配置されて後側不連続部３５１を形成している。後側不連続部３５１は、外装体３（おむつ１）の横方向Ｙの中央部に位置している。後側不連続部３５１においては、弾性部材による弾性伸縮性は発現しない。一側縁部ＲＳを起点とする後側レッグ弾性部材３５と他側縁部ＲＳを起点とする後側レッグ弾性部材３５とは、おむつ１を横方向Ｙに二分する横中心線（図示せず）を基準として左右対称に配されている。
【００３３】
前側レッグ弾性部材３４及び後側レッグ弾性部材３５は、それぞれ図２及び図３に示す如き平面視において、長さ方向の一端部が、腹側部１Ａ又は背側部１Ｃにて横方向Ｙに沿って配され、長さ方向の他端部が、股下部１Ｂにて該一端部とは反対側を向いて横方向Ｙに沿って配され、これら両端部に挟まれた中間部が、縦方向Ｘ及び横方向Ｙの両方向に交差する方向に配されており、該中間部に変曲点を有している。ここでいう「変曲点」は、曲率の異なる２種類の曲線の変わり目を意味し、この変わり目で引いた接線に対し、曲線の一方と他方とが異なる側にあるもののみならず、同じ側にあるものも含まれる。
【００３４】
また図２及び図３に示すように、前側レッグ弾性部材３４と後側レッグ弾性部材３５とは縦方向Ｘにおいて互いに離間配置されており、それによって離間領域１Ｄが形成されている。本実施形態のように、レッグ弾性部材３４，３５が複数本ある場合、それら複数本のうちで縦方向Ｘの最内方に位置するレッグ弾性部材３４，３５に挟まれた領域が離間領域１Ｄである。離間領域１Ｄは股下部１Ｂに位置し、前記排泄部対向部を有している。外装体３は、離間領域１Ｄに、該外装体３の他の部位よりも横方向Ｙの長さが短い（幅が狭い）最幅狭部３Ｎを有している。
【００３５】
吸収性本体２は、図２及び図３に示す如き平面視において少なくとも吸収体２３の縦方向Ｘに沿う両側縁部２３Ｓ，２３Ｓと前側レッグ弾性部材３４及び後側レッグ弾性部材３５とが重なる部分（吸収体側縁部−レッグ弾性部材交差部）にて、外装体３（内層シート３２）と接合されている。このように、吸収性本体２と外装体３とが少なくとも吸収体側縁部−レッグ弾性部材交差部で互いに接合されていることにより、おむつ１を装着する際において、レッグ弾性部材３４，３５、特にレッグ弾性部材３４，３５における該交差部と前記変曲点との間に位置する部分が収縮している状態では、吸収性本体２がレッグ弾性部材３４，３５によって縦方向Ｘに引っ張られた状態で支持されるので、吸収性本体２（吸収体２３）が縦方向に収縮し難く、股下部１Ｂの保形性が向上する。
本実施形態においては、吸収性本体２と内層シート３２とが、吸収体側縁部−レッグ弾性部材交差部を含み且つ吸収性本体２の周縁又はその近傍（該周縁から５０ｍｍ以内）に対応する部位にて互いに接合されており、吸収性本体２と内層シート３２（外装体３）とは、該部位以外では互いに接合されていない。
【００３６】
図２〜図４に示すように、吸収体２３は、相対的に曲げ剛性が高い高剛性領域２３Ｈと、該高剛性領域２３よりも曲げ剛性が低い低剛性領域２３Ｌとを有し、高剛性領域２３Ｈは横方向Ｙの中央部に位置している。吸収体２３は、横方向Ｙの両端部に一対の低剛性領域２３Ｌ，２３Ｌを有し、該一対の低剛性領域２３Ｌ，２３Ｌに挟まれた横方向Ｙの中央部に高剛性領域２３Ｈを有している。この高剛性領域２３Ｈの配置位置は、吸収体２３の横方向Ｙの中央部であるだけでなく、縦方向Ｘの中央部でもあり、吸収体２３は縦方向Ｘの両端部にも一対の低剛性領域２３Ｌ，２３Ｌを有している。即ち、吸収体２３の高剛性領域２３Ｈは周囲を低剛性領域２３Ｌに囲まれている。高剛性領域２３Ｈは股下部１Ｂの縦方向中央部に位置し、縦方向両端部に位置する一対の低剛性領域２３Ｌ，２３Ｌの一方は、腹側部１Ａと股下部１Ｂとの境界を跨ぎ、他方は、背側部１Ｃと股下部１Ｂとの境界を跨いでいる。高剛性領域２３Ｈが存する吸収体２３の縦方向中央部は、吸収体２３の他の部位よりも横方向Ｙの長さが短い最幅狭部である。高剛性領域２３Ｈは、平面視矩形形状をなし、その縦方向Ｘに沿う両側縁２３ＨＳ，２３ＨＳは、該高剛性領域２３Ｈが位置する部分における吸収体２３の縦方向Ｘに沿う両側縁２３Ｓ，２３Ｓよりも横方向Ｙの内方に位置している。
【００３７】
本発明における「曲げ剛性」は、日本工業規格「ＪＩＳ Ｌ―１０９６（一般織物試験方法）」に準じ、ハンドルオ・メーターにより測定することができ、その測定値が大きいほど曲げ剛性が高く曲げにくいと判断される。ハンドルオ・メーターによる曲げ剛性の測定方法は、具体的には次のようにして行うことができる。先ず、吸収体における測定対象部位から、２５ｍｍ×２５ｍｍの正方形状を切り出して測定サンプルとする。次に、幅１０ｍｍ溝を刻んだ支持台上に、測定サンプルを、前記溝と、該測定サンプルのおむつ横方向に対応する方向が直交するように配置する。そして、測定サンプルの中央を厚み２ｍｍのブレードで押し、該測定サンプルが８ｍｍ押し込まれる時の抵抗値（ｇ）をロードセルにて測定する。測定は異なる測定サンプルで３回行い、その平均値を測定値とする。２５ｍｍ×２５ｍｍの測定サンプルが切り出せない場合は、それより小さい測定サンプルでも良いが、その場合、高剛性領域及び低剛性領域から得た同一寸法の測定サンプルを用い、前記支持台の溝の幅を５ｍｍにして測定した結果どうしを比較する。
【００３８】
本実施形態においては、吸収体２３の高剛性領域２３Ｈは相対的に吸収体材料（吸水性ポリマー粒子、繊維材料等）の坪量が高く、低剛性領域２３Ｌは該高剛性領域２３Ｈよりも吸収体材料の坪量が低い。より具体的には、図４に示すように、吸収体２３は、上層吸収体２３０と、該上層吸収体２３０の非肌対向面側に配される下層吸収体２３１とからなる積層体（二層構造）を含んで構成されているところ、該積層体が存している部分が相対的に高坪量である高剛性領域２３Ｈ、該積層体（上層吸収体２３０）が存していない部分が相対的に低坪量である低剛性領域２３Ｌである。上層吸収体２３０は、平面視矩形形状をなし、下層吸収体２３１よりも縦方向Ｘの長さが短く、且つ下層吸収体２３１において横方向Ｙの長さが最も短い最幅狭部の該長さよりも横方向Ｙの長さが短い。下層吸収体２３１は、上層吸収体２３０よりも平面視における寸法が大きく、吸収体２３の外形を形作っており、縦方向Ｘの中央部が括れた平面視砂時計状（ダンベル状）をなしている。上層吸収体２３０は、下層吸収体２３１の肌対向面の中央に配されている。上層吸収体２３０及び下層吸収体２３１としては、それぞれ、吸収体材料を含む吸収性コアを用いることができ、該吸収性コアは、その表面が紙、不織布等のコアラップシートで被覆されていても良い。また、上層吸収体２３０と下層吸収体２３１とは接着剤によって互いに接合されていても良い。
【００３９】
本実施形態のおむつ１の主たる特徴の１つとして、図２及び図３に示すように、おむつ１の横方向Ｙの中央に配されている吸収体２３の高剛性領域２３Ｈ、即ち、上層吸収体２３０と下層吸収体２３１との積層体が、離間領域１Ｄの縦方向Ｘの全長に亘って連続している点が挙げられる。本実施形態においては、高剛性領域２３Ｈは離間領域１Ｄの縦方向Ｘの両端それぞれから縦方向Ｘの外方に延出しており、高剛性領域２３Ｈは離間領域１Ｄよりも縦方向Ｘの長さが長い。斯かる構成により、離間領域１Ｄにおける吸収性本体２（吸収体２３）の縦方向Ｘにおける収縮が抑制されて離間領域１Ｄ（股下部１Ｂ）の保形性が向上し、おむつ１の装着操作において吸収性本体２（吸収体２３）の全体が着用者の股間部側に十分に引き上げられるようになり、おむつ１を装着するのに十分な股間幅が確保されるため、レッグ開口部ＬＨに足を通しやすく、おむつ１のはき易さ及び着用感が向上する。特に本実施形態においては、前述したように、吸収性本体２と外装体３とが少なくとも吸収体側縁部−レッグ弾性部材交差部で互いに接合されていることと相俟って、離間領域１Ｄの保形性が一層向上しており、おむつ１のはき易さ及び着用感が一層向上する。斯かる効果をより一層確実に奏させる観点から、横方向Ｙの中央部に位置する高剛性領域２３Ｈの横方向長さは、横方向Ｙの両端部に位置する低剛性領域２３Ｌ，２３Ｌそれぞれの横方向長さよりも長いことが好ましい。
【００４０】
本実施形態においては、図２及び図３に示すように、前側レッグ弾性部材３４及び後側レッグ弾性部材３５が、それぞれ、平面視において高剛性領域２３Ｈの縦方向Ｘに沿う側縁２３ＨＳと交差している。つまり、前側レッグ弾性部材３４及び後側レッグ弾性部材３５は、それぞれ、吸収体２３の側縁２３Ｓよりも横方向Ｙの内方に延出し、高剛性領域２３Ｈの側縁２３ＨＳに達しており、さらに横方向Ｙの内方に延びている。即ち、高剛性領域２３Ｈは、一対の前側レッグ弾性部材３４，３４の横方向Ｙにおける不連続部分である前側不連続部３４１と重なる位置に存在（平面視において重複）し、また、一対の後側レッグ弾性部材３５，３５の横方向Ｙにおける不連続部分である後側不連続部３５１と重なる位置に存在（平面視において重複）する。斯かる構成により、離間領域１Ｄ（股下部１Ｂ）の保形性がより一層向上するので、前述した、高剛性領域２３Ｈが離間領域１Ｄの縦方向Ｘの全長に亘って連続していることによる作用効果がより一層確実に奏されるようになる。
【００４１】
また本実施形態においては、図２及び図３に示すように、高剛性領域２３Ｈは、前側レッグ弾性部材３４及び後側レッグ弾性部材３５それぞれとの交差部３４０，３５０間にのみ存しており、交差部３４０，３５０よりも縦方向Ｘの外方には存していない。高剛性領域２３Ｈが交差部３４０，３５０よりも縦方向Ｘの外方に存していると、腹側部１Ａ及び背側部１Ｃ（胴回り部）の収縮性が低下し、おむつ１の装着操作において吸収性本体２（吸収体２３）を着用者の股間側に引き上げる力が低下するおそれがあるところ、高剛性領域２３Ｈが交差部３４０，３５０間にのみ存していることでこうした懸念が払拭され、前述した、高剛性領域２３Ｈが離間領域１Ｄの縦方向Ｘの全長に亘って連続していることによる作用効果がより一層確実に奏されるようになる。
【００４２】
また本実施形態においては、図２及び図３に示すように、前側レッグ弾性部材３４及び後側レッグ弾性部材３５が、それぞれ、外装体３における高剛性領域２３Ｈに対応する領域（平面視において高剛性領域２３Ｈと重なる領域）において、横方向Ｙに沿って配されており、両レッグ弾性部材３４，３５によって吸収性本体２（吸収体２３）が縦方向Ｘに収縮しないようになされている。斯かる構成により、前述した、高剛性領域２３Ｈが離間領域１Ｄの縦方向Ｘの全長に亘って連続していることによる作用効果がより一層確実に奏されるようになる。
【００４３】
離間領域１Ｄの縦方向Ｘの長さ１ＤＬｘは、前側レッグ弾性部材３４が配されている領域の縦方向長さ３４Ｌｘ及び後側レッグ弾性部材３５が配されている領域の縦方向Ｘの長さ３５Ｌｘよりも長く、且つ該長さ３４Ｌｘよりも該長さ３５Ｌｘの方が長いことが好ましい。このように、離間領域１Ｄ及びレッグ弾性部材３４，３５の配置領域の縦方向長さに関して、離間領域１Ｄの長さ１ＤＬｘ＞レッグ弾性部材３４，３５の長さ３４Ｌｘ，３５Ｌｘで且つ後側レッグ弾性部材３５の長さ３５Ｌｘ＞前側レッグ弾性部材３４の長さ３４Ｌｘという関係が満たされることにより、レッグ弾性部材３４，３５によって支持され、おむつ１の装着操作において着用者の股間部側に引き上げられる吸収性本体２（吸収体２３）の長さが十分に確保されると共に、その引き上げる力も十分に確保され、それによって、前述した、高剛性領域２３Ｈが離間領域１Ｄの縦方向Ｘの全長に亘って連続していることと相俟って、離間領域１Ｄの保形性がより一層向上し得る。
【００４４】
離間領域１Ｄの縦方向Ｘの長さ１ＤＬｘと前側レッグ弾性部材３４の縦方向長さ３４Ｌｘとの比（長さ１ＤＬｘ／長さ３４Ｌｘ）は、好ましくは１．０より大きく、さらに好ましくは１．１５以上、そして、好ましくは１５以下、さらに好ましくは１２．５以下、より具体的には、好ましくは１．０超１５以下、さらに好ましくは１．１５以上１２．５以下である。
離間領域１Ｄの縦方向Ｘの長さ１ＤＬｘと後側レッグ弾性部材３５の縦方向長さ３５Ｌｘとの比（長さ１ＤＬｘ／長さ３５Ｌｘ）は、好ましくは１．０より大きく、さらに好ましくは１．２５以上、そして、好ましくは６．０以下、さらに好ましくは５．０以下、より具体的には、好ましくは１．０超６．０以下、さらに好ましくは１．２５以上５．０以下である。
前側レッグ弾性部材３４の縦方向長さ３４Ｌｘと後側レッグ弾性部材３５の縦方向長さ３５Ｌｘとの比（長さ３４Ｌｘ／長さ３５Ｌｘ）は、好ましくは０．１以上、さらに好ましくは０．２５以上、そして、好ましくは０．８５以下、さらに好ましくは０．７５以下、より具体的には、好ましくは０．１以上０．８５以下、さらに好ましくは０．２５以上０．７５以下である。
【００４５】
離間領域１Ｄの縦方向Ｘの長さ１ＤＬｘは、好ましくは１５０ｍｍ以上、さらに好ましくは１７０ｍｍ以上、そして、好ましくは３００ｍｍ以下、さらに好ましくは２５０ｍｍ以下、より具体的には、好ましくは１５０ｍｍ以上３００ｍｍ以下、さらに好ましくは１７０ｍｍ以上２５０ｍｍ以下である。
前側レッグ弾性部材３４の縦方向長さ３４Ｌｘは、好ましくは２０ｍｍ以上、さらに好ましくは５０ｍｍ以上、そして、好ましくは１５０ｍｍ以下、さらに好ましくは１３０ｍｍ以下、より具体的には、好ましくは２０ｍｍ以上１５０ｍｍ以下、さらに好ましくは５０ｍｍ以上１３０ｍｍ以下である。
後側レッグ弾性部材３５の縦方向長さ３５Ｌｘは、好ましくは５０ｍｍ以上、さらに好ましくは８０ｍｍ以上、そして、好ましくは２００ｍｍ以下、さらに好ましくは１８０ｍｍ以下、より具体的には、好ましくは５０ｍｍ以上２００ｍｍ以下、さらに好ましくは８０ｍｍ以上１８０ｍｍ以下である。
【００４６】
また、図２及び図３に示すように、吸収体２３は、その縦方向Ｘの中央部（離間領域１Ｄに位置する部分）に、該吸収体２３の他の部位よりも横方向Ｙの長さが短い最幅狭部を有しているところ、本実施形態においては、その吸収体２３の最幅狭部と外装体３の幅狭部３Ｎとが縦方向Ｘにおいて同位置にある。斯かる構成により、レッグ開口部ＬＨへの足通しの良さが向上し、それによっておむつ１のはき易さが向上するので、前述した、高剛性領域２３Ｈが離間領域１Ｄの縦方向Ｘの全長に亘って連続していることによる作用効果がより一層確実に奏されるようになる。
【００４７】
以上、本発明をその好ましい実施形態に基づき説明したが、本発明は前記実施形態に制限されない。例えば、前記実施形態においては、外層シート３１は複数枚のシートが組み合わされて構成されていたが、内層シート３２と同様に１枚の連続したシートから構成されていても良い。
また、外装体３は、腹側部に位置する外装体腹側領域及び背側部に位置する外装体背側領域とに分割されており、吸収性本体２は、前記外装体腹側領域及び前記外装体背側領域に架け渡して固定されていても良い。
前述した本発明の実施形態に関し、更に以下の付記を開示する。
【００４８】
＜１＞
着用者の前後方向に相当する縦方向とこれに直交する横方向とを有し、液保持性の吸収体を具備する吸収性本体と、該吸収性本体の非肌対向面側に配されて該吸収性本体を固定している外装体とを備え、前身頃及び後身頃それぞれにおける該外装体の縦方向に沿う両側縁部どうしが接合されて一対のサイドシール部、ウエスト開口部及び一対のレッグ開口部が形成されているパンツ型吸収性物品であって、
前記外装体は、前身頃及び後身頃それぞれの胴回り部において横方向に伸縮性を有し、
前記外装体は、一対の前記レッグ開口部それぞれの開口縁部にレッグギャザーを形成するレッグ弾性部材として、前身頃に伸長状態で配された前側レッグ弾性部材と、後身頃に伸長状態で配された後側レッグ弾性部材とを備え、
前記前側レッグ弾性部材は、前身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記後側レッグ弾性部材は、後身頃における前記胴回り部を構成する前記外装体の両側縁部それぞれから前記レッグ開口部の開口縁部に沿って縦方向内方且つ横方向内方に延びて前記吸収体の縦方向に沿う側縁に達しており、
前記前側レッグ弾性部材と前記後側レッグ弾性部材とが縦方向において互いに離間配置されて、離間領域が形成されており、
前記吸収性本体は、平面視において少なくとも前記吸収体の縦方向に沿う両側縁部と前記前側レッグ弾性部材及び前記後側レッグ弾性部材とが重なる部分にて、前記外装体と接合されており、
前記吸収体は、相対的に曲げ剛性が高い高剛性領域と、該高剛性領域よりも曲げ剛性が低い低剛性領域とを有し、該高剛性領域は、横方向の中央部に位置し、且つ、前記離間領域の縦方向の全長に亘って連続しているパンツ型吸収性物品。
【００４９】
＜２＞
前記離間領域の縦方向長さは、前記前側レッグ弾性部材が配されている領域の縦方向長さ及び前記後側レッグ弾性部材が配されている領域の縦方向長さよりも長く、且つ
前記前側レッグ弾性部材が配されている領域の縦方向長さよりも前記後側レッグ弾性部材が配されている領域の縦方向長さの方が長い前記＜１＞に記載のパンツ型吸収性物品。
＜３＞
前記前側レッグ弾性部材及び前記後側レッグ弾性部材は、それぞれ、平面視において前記高剛性領域の縦方向に沿う側縁と交差している前記＜１＞又は＜２＞に記載のパンツ型吸収性物品。
＜４＞
前記高剛性領域は、前記前側レッグ弾性部材及び前記後側レッグ弾性部材それぞれとの交差部間にのみ存している前記＜３＞に記載のパンツ型吸収性物品。
＜５＞
前記前側レッグ弾性部材及び前記後側レッグ弾性部材は、それぞれ、前記外装体における前記高剛性領域に対応する領域において、横方向に沿って配されている前記＜１＞〜＜４＞の何れか一項に記載のパンツ型吸収性物品。
＜６＞
前記外装体は、前身頃の前記胴回り部である腹側部、及び後身頃の前記胴回り部である背側部、前記腹側部と前記背側部とに挟まれた股下部に亘って配されており、前記股下部においては横方向に伸縮性を有しておらず、
前記外装体は、前記離間領域に、該外装体の他の部位よりも横方向長さが短い最幅狭部を有している前記＜１＞〜＜５＞の何れか一項に記載のパンツ型吸収性物品。
＜７＞
前記吸収体は、その縦方向中央部に、該吸収体の他の部位よりも横方向長さが短い最幅狭部を有し、該吸収体の最幅狭部と前記外装体の幅狭部とが縦方向において同位置にある前記＜６＞に記載のパンツ型吸収性物品。
＜８＞
前記高剛性領域は相対的に吸収体材料の坪量が高く、前記低剛性領域は該高剛性領域よりも吸収体材料の坪量が低い前記＜１＞〜＜７＞の何れか一項に記載のパンツ型吸収性物品。
【００５０】
＜９＞
前身頃における前記胴回り部を構成する前記外装体の両側縁部のうちの一方を起点とする前記前側レッグ弾性部材と、他方を起点とする前記前側レッグ弾性部材とは、横方向において互いに離間配置されて前側不連続部を形成しており、該前側不連続部は該外装体の横方向中央部に位置しており、
後身頃における前記胴回り部を構成する前記外装体の両側縁部のうちの一方を起点とする前記後側レッグ弾性部材と、他方を起点とする前記後側レッグ弾性部材とは、横方向において互いに離間配置されて後側不連続部を形成しており、該後側不連続部は該外装体の横方向中央部に位置している前記＜１＞〜＜８＞の何れか一項に記載のパンツ型吸収性物品。
＜１０＞
前記高剛性領域は、前記前側不連続部及び前記後側不連続部と重なる位置に存在する前記＜９＞に記載のパンツ型吸収性物品。
【００５１】
＜１１＞
前記吸収体は、縦方向両端部に一対の前記低剛性領域を有している前記＜１＞〜＜１０＞の何れか一項に記載のパンツ型吸収性物品。
＜１２＞
前記高剛性領域は周囲を前記低剛性領域に囲まれている前記＜１＞〜＜１１＞の何れか一項に記載のパンツ型吸収性物品。
＜１３＞
前記高剛性領域の横方向長さは、該高剛性領域の横方向の両側に位置する低剛性領域それぞれの横方向長さよりも長い前記＜１＞〜＜１２＞の何れか一項に記載のパンツ型吸収性物品。
＜１４＞
前記高剛性領域は、上層吸収体と、該上層吸収体の非肌対向面側に配される下層吸収体とからなる積層体で構成される前記＜１＞〜＜１３＞の何れか一項に記載のパンツ型吸収性物品。
＜１５＞
前記吸収体は、液保持性の吸収性コアと該吸収性コアを被覆するコアラップシートとを含んで構成されている前記＜１＞〜＜１４＞の何れか一項に記載のパンツ型吸収性物品。
【００５２】
＜１６＞
前記離間領域の縦方向長さと前記前側レッグ弾性部材の縦方向長さとの比である前者／後者は、好ましくは１．０より大きく、さらに好ましくは１．１５以上、そして、好ましくは１５以下、さらに好ましくは１２．５以下、より具体的には、好ましくは１．０超１５以下、さらに好ましくは１．１５以上１２．５以下である前記＜１＞〜＜１５＞の何れか一項に記載のパンツ型吸収性物品。
＜１７＞
前記離間領域の縦方向長さと前記後側レッグ弾性部材の縦方向長さとの比である前者／後者は、好ましくは１．０より大きく、さらに好ましくは１．２５以上、そして、好ましくは６．０以下、さらに好ましくは５．０以下、より具体的には、好ましくは１．０超６．０以下、さらに好ましくは１．２５以上５．０以下である前記＜１＞〜＜１６＞の何れか一項に記載のパンツ型吸収性物品。
＜１８＞
前記前側レッグ弾性部材の縦方向長さと前記後側レッグ弾性部材の縦方向長さとの比である前者／後者は、好ましくは０．１以上、さらに好ましくは０．２５以上、そして、好ましくは０．８５以下、さらに好ましくは０．７５以下、より具体的には、好ましくは０．１以上０．８５以下、さらに好ましくは０．２５以上０．７５以下である前記＜１＞〜＜１７＞の何れか一項に記載のパンツ型吸収性物品。
＜１９＞
前記離間領域の縦方向長さは、好ましくは１５０ｍｍ以上、さらに好ましくは１７０ｍｍ以上、そして、好ましくは３００ｍｍ以下、さらに好ましくは２５０ｍｍ以下、より具体的には、好ましくは１５０ｍｍ以上３００ｍｍ以下、さらに好ましくは１７０ｍｍ以上２５０ｍｍ以下である前記＜１＞〜＜１７＞の何れか一項に記載のパンツ型吸収性物品。
＜２０＞
前記前側レッグ弾性部材の縦方向長さは、好ましくは２０ｍｍ以上、さらに好ましくは５０ｍｍ以上、そして、好ましくは１５０ｍｍ以下、さらに好ましくは１３０ｍｍ以下、より具体的には、好ましくは２０ｍｍ以上１５０ｍｍ以下、さらに好ましくは５０ｍｍ以上１３０ｍｍ以下である前記＜１＞〜＜１９＞の何れか一項に記載のパンツ型吸収性物品。
＜２１＞
前記後側レッグ弾性部材の縦方向長さは、好ましくは５０ｍｍ以上、さらに好ましくは８０ｍｍ以上、そして、好ましくは２００ｍｍ以下、さらに好ましくは１８０ｍｍ以下、より具体的には、好ましくは５０ｍｍ以上２００ｍｍ以下、さらに好ましくは８０ｍｍ以上１８０ｍｍ以下である前記＜１＞〜＜２０＞の何れか一項に記載のパンツ型吸収性物品。
【００５３】
＜２２＞
前記外装体は、着用者の身体から相対的に遠い側に位置する外層シートと、着用者の身体に相対的に近い側に位置する内層シートとを含んで構成され、両シート間に前記前側レッグ弾性部材及び前記後側レッグ弾性部材が介在されており、前記吸収性本体は、該内層シートと接合されている前記＜１＞〜＜２１＞の何れか一項に記載のパンツ型吸収性物品。
＜２３＞
前記外層シートは、着用状態において着用者の腹側に配される腹側部を構成する腹側外層シートと、背側に配される背側部を構成する背側外層シートと、これら両シート間に位置して着用者股間部に配される股下部を構成する股下外層シートとを含んで構成されている前記＜２２＞に記載のパンツ型吸収性物品。
＜２４＞
前記腹側外層シート及び前記背側外層シートは横方向に伸縮性を有している前記＜２２＞又は＜２３＞に記載のパンツ型吸収性物品。
＜２５＞
前記股下外層シート及び前記内層シートは伸縮性を有しておらず非伸縮性である前記＜２２＞〜＜２４＞の何れか一項に記載のパンツ型吸収性物品。
＜２６＞
前記腹側外層シート及び前記背側外層シートは、非弾性繊維を主体とする伸長可能な繊維層の一面に糸状の弾性フィラメントが接合した構成を有する前記＜２２＞〜＜２５＞の何れか一項に記載のパンツ型吸収性物品。
＜２７＞
前記吸収性本体と前記内層シートとは、該吸収性本体の周縁、又はその近傍である該周縁から５０ｍｍ以内に対応する部位にて、接着剤によって互いに接合されている前記＜２２＞〜＜２６＞の何れか一項に記載のパンツ型吸収性物品。
＜２８＞
前記吸収性本体は、肌対向面を形成する表面シート、非肌対向面を形成する裏面シート、及び両シート間に介在配置された液保持性の前記吸収体を有している前記＜１＞〜＜２７＞の何れか一項に記載のパンツ型吸収性物品。
【符号の説明】
【００５４】
１  パンツ型使い捨ておむつ（パンツ型吸収性物品）
２  吸収性本体
２１  表面シート
２２  裏面シート
２３  吸収体
２３Ｓ  吸収体の縦方向に沿う側縁
２３０  上層吸収体
２３１  下層吸収体
２３Ｈ  高剛性領域
２３ＨＳ  高剛性領域の縦方向に沿う側縁
２３Ｕ  低剛性領域
２４  側方カフス（立体ギャザー）
３  外装体
３Ｎ  外装体の最幅狭部
３１  外層シート
３１Ａ  腹側外層シート
３１Ｂ  股下外層シート
３１Ｃ  背側外層シート
３２  内層シート
３３  ウエスト弾性部材
３４  前側レッグ弾性部材
３４０  前側レッグ弾性部材と高剛性領域との交差部
３４１  前側不連続部
３５  後側レッグ弾性部材
３５０  後側レッグ弾性部材と高剛性領域との交差部
３５１  後側不連続部
Ｆ  前身頃
Ｒ  後身頃
１Ａ  腹側部（前身頃の胴回り部）
１Ｂ  股下部
１Ｃ  背側部（後身頃の胴回り部）
１Ｄ  離間領域
Ｘ  縦方向
Ｙ  横方向
【図１】
0006453051.tif 000002
【図２】
0006453051.tif 000003
【図３】
0006453051.tif 000004
【図４】
0006453051.tif 000005
【図５】
0006453051.tif 000006
【図６】
0006453051.tif 000007